(57)【特許請求の範囲】
【請求項１】
遠隔制御装置(１)とその遠隔制御装置(１)により遠隔制御される空気調和機(２)とを備えた音声応答遠隔制御システムであって、
上記遠隔制御装置(１)は、
入力部(１１)と、
上記入力部(１１)からの入力信号に基づいて表示信号および遠隔制御信号を出力する制御部(１２)と、
上記制御部(１２)からの表示信号に基づいて上記空気調和機(２)に対する設定内容および上記空気調和機(２)の運転情報を表示する表示部(１３)と、
上記制御部(１２)からの遠隔制御信号を上記空気調和機(２)に送信する送信部(１４)とを有し、
上記空気調和機(２)は、
上記遠隔制御装置(１)の上記送信部(１４)からの上記遠隔制御信号を受信する受信部(２１)と、
上記受信部(２１)により受信された上記遠隔制御信号によって制御する制御部(２２)と、
上記遠隔制御装置(１)の上記送信部(１４)からの上記遠隔制御信号に応じて上記設定内容を表す音声および上記運転情報を表す音声を出力する音声応答部(２３,２４)とを有し、
さらに、上記遠隔制御装置(１)は、上記空気調和機(２)の上記音声応答部(２３,２４)が音声出力可能な上記設定内容および上記運転情報を含む複数の項目のうち音声出力してよい項目を選択するための音声応答選択部(１２)を有し、
上記音声応答選択部(１２)により選択された上記音声出力してよい項目に対応する上記設定内容および上記運転情報を表す音声のみを上記空気調和機(２)の上記音声応答部(２３,２４)から出力し、
上記設定内容および上記運転情報を含む複数の項目のうち上記音声応答選択部(１２)により選択されていない項目に対応する上記設定内容および上記運転情報を表す音声は、上記空気調和機(２)の上記音声応答部(２３,２４)から出力しないことを特徴とする音声応答遠隔制御システム。
【請求項２】
入力部(３１)と、
上記入力部(３１)からの入力信号に基づいて表示信号および遠隔制御信号を出力する制御部(３２)と、
上記制御部(１２)からの表示信号に基づいて空気調和機(２)に対する設定内容および上記空気調和機(４)の運転情報を表示する表示部(３３)と、
上記入力部(３１)からの上記入力信号に応じた遠隔制御信号を上記空気調和機(４)に送信する送信部(３４)と、
上記入力部(３１)からの上記入力信号に応じて上記設定内容を表す音声および上記運転情報を表す音声を出力する音声応答部(３５,３６)と、
上記音声応答部(３５,３６)が音声出力可能な上記設定内容および上記運転情報を含む複数の項目のうち音声出力してよい項目を選択するための音声応答選択部(３２)とを有し、
上記音声応答選択部(３２)により選択された上記音声出力してよい項目に対応する上記設定内容および上記運転情報を表す音声のみを上記音声応答部(３５,３６)から出力し、
上記設定内容および上記運転情報を含む複数の項目のうち上記音声応答選択部(１２)により選択されていない項目に対応する上記設定内容および上記運転情報を表す音声は、上記音声応答部(２３,２４)から出力しないことを特徴とする音声応答遠隔制御装置。
【発明の詳細な説明】
【０００１】
【発明の属する技術分野】
この発明は、音声応答遠隔制御システムおよび音声応答遠隔制御装置に関する。
【０００２】
【従来の技術】
従来、音声応答遠隔制御システムとしては、リモートコントローラ(以下、リモコンという)を備えた空気調和機がある。この音声応答遠隔制御システムでは、リモコンに運転モード,設定温度等の設定内容を表示する液晶表示部を有している。
【０００３】
【発明が解決しようとする課題】
ところで、上記音声応答遠隔制御システムでは、暗がりでリモコンを操作するとき、リモコンの液晶表示部の表示内容が見えないため、運転モードや設定温度等の設定内容がどのようになっているか分からないという欠点がある。また、上記音声応答遠隔制御装置では、視覚障害者や視力が低下した人が液晶表示部に表示された設定内容を確認することが困難であるという欠点がある。
【０００４】
そこで、この発明の目的は、設定内容を音声で容易に確認できる音声応答遠隔制御システムおよびその音声応答遠隔制御システムに用いられる音声応答遠隔制御装置を提供することにある。
【０００５】
【課題を解決するための手段】
上記目的を達成するため、請求項１の音声応答遠隔制御システムは、
遠隔制御装置とその遠隔制御装置により遠隔制御される空気調和機とを備えた音声応答遠隔制御システムであって、
上記遠隔制御装置は、
入力部と、
上記入力部からの入力信号に基づいて表示信号および遠隔制御信号を出力する制御部と、
上記制御部からの表示信号に基づいて上記空気調和機に対する設定内容および上記空気調和機の運転情報を表示する表示部と、
上記制御部からの遠隔制御信号を上記空気調和機に送信する送信部とを有し、
上記空気調和機は、
上記遠隔制御装置の上記送信部からの上記遠隔制御信号を受信する受信部と、
上記受信部により受信された上記遠隔制御信号によって制御する制御部と、
上記遠隔制御装置の上記送信部からの上記遠隔制御信号に応じて上記設定内容を表す音声および上記運転情報を表す音声を出力する音声応答部とを有し、
上記音声応答選択部により選択された上記音声出力してよい項目に対応する上記設定内容および上記運転情報を表す音声のみを上記空気調和機の上記音声応答部から出力し、
上記設定内容および上記運転情報を含む複数の項目のうち上記音声応答選択部により選択されていない項目に対応する上記設定内容および上記運転情報を表す音声は、上記空気調和機の上記音声応答部から出力しないことを特徴としている。
【０００６】
上記請求項１の音声応答遠隔制御システムによれば、上記遠隔制御装置の押ボタン等の上記入力部により入力すると、上記入力部の入力に応じた遠隔制御信号を遠隔制御装置の送信部より送信する。そして、上記被遠隔制御装置では、上記遠隔制御装置の送信部から送信された遠隔制御信号を受信部により受信し、その受信された遠隔制御信号によって制御部により本体を制御すると共に、音声応答部は、遠隔制御信号に応じて設定内容を表す音声および運転情報を表す音声を出力する。例えば、遠隔制御装置としてのリモコンと被遠隔制御装置としての室内ユニットを備えた空気調和機では、運転モード,設定温度,設定風量等の設定内容を、リモコンからの遠隔制御信号に応じて室内ユニットから音声出力する。そうすることによって、暗がりでリモコンを操作するときにリモコンの液晶表示部の表示内容が見えない場合や、視覚障害者や視力が低下した人が液晶表示部に表示された設定内容を確認することが困難な場合でも、設定内容および運転情報を室内ユニットから出力される音声で確認できる。
【０００７】
【０００８】
また、上記遠隔制御装置の音声応答選択部により被遠隔制御装置の音声応答部が音声出力する上記設定内容を選択し、その選択された設定内容を表す音声および運転情報を表す音声を被遠隔制御装置の音声応答部より出力する。したがって、使用者が必要とする設定内容および運転情報のみを音声出力させることができ、不要な音声出力をなくして、必要な情報を容易に識別できる。
【０００９】
また、請求項２の音声応答遠隔制御装置は、
入力部と、
上記入力部からの入力信号に基づいて表示信号および遠隔制御信号を出力する制御部と、
上記制御部からの表示信号に基づいて空気調和機に対する設定内容および上記空気調和機の運転情報を表示する表示部と、
上記入力部からの上記入力信号に応じた遠隔制御信号を上記空気調和機に送信する送信部と、
上記入力部からの上記入力信号に応じて上記設定内容を表す音声および上記運転情報を表す音声を出力する音声応答部と、
上記音声応答部が音声出力する上記設定内容および上記運転情報を選択するための音声応答選択部とを有し、
上記音声応答選択部により選択された上記音声出力してよい項目に対応する上記設定内容および上記運転情報を表す音声のみを上記音声応答部から出力し、
上記設定内容および上記運転情報を含む複数の項目のうち上記音声応答選択部により選択されていない項目に対応する上記設定内容および上記運転情報を表す音声は、上記音声応答部から出力しないことを特徴としている。
【００１０】
上記請求項２の音声応答遠隔制御装置によれば、上記遠隔制御装置の押ボタン等の上記入力部により入力すると、上記入力部の入力に応じた遠隔制御信号を遠隔制御装置の送信部より送信する。そして、被遠隔制御装置では、上記遠隔制御装置の送信部から送信された遠隔制御信号を受信し、その受信された遠隔制御信号によって被遠隔制御装置本体を制御する。また、上記遠隔制御装置の音声応答部は、遠隔制御信号に応じて設定内容を表す音声および運転情報を表す音声を出力する。例えば、遠隔制御装置としてのリモコンと被遠隔制御装置としての室内ユニットとを備えた空気調和機では、運転モード,設定温度,設定風量等の設定内容を、リモコンから送信される遠隔制御信号に応じてリモコンから音声出力する。そうすることによって、暗がりでリモコンを操作するときにリモコンの液晶表示部の表示内容が見えない場合や、視覚障害者や視力が低下した人が液晶表示部に表示された設定内容や運転情報を確認することが困難な場合でも、設定内容および運転情報を手元のリモコンから出力される音声で確認できる。
【００１１】
【００１２】
また、上記音声応答選択部により音声応答部が音声出力する上記設定内容を選択し、その選択された設定内容を表す音声を音声応答部より出力する。したがって、使用者が必要とする設定内容のみを音声出力させることができ、不要な音声出力をなくして、必要な情報を容易に識別できる。
【００１３】
【発明の実施の形態】
以下、この発明の音声応答遠隔制御システムおよび音声応答遠隔制御装置を図示の実施の形態により詳細に説明する。
【００１４】
（第１実施形態）
図１はこの発明の第１実施形態の音声応答遠隔制御システムである空気調和機の概略ブロック図であり、１は遠隔制御装置としてのリモコン、２は上記リモコン１により遠隔制御される被遠隔制御装置としての室内ユニットである。上記リモコン１は、押ボタン(図示せず)により入力される入力部１１と、上記入力部１１からの入力に基づいて動作する音声応答選択部を含むリモコン制御部１２と、上記リモコン制御部１２からの表示信号により液晶表示する表示部１３と、上記リモコン制御部１２からの遠隔制御信号を送信する送信部１４とを有している。
【００１５】
また、上記室内ユニット２は、上記リモコン１からの遠隔制御信号を受信する受信部２１と、上記受信部２１により受信された遠隔制御信号に基づいて本体の動作を制御する制御部２２と、上記制御部２２からの音声出力信号に基づいて音声を生成する音声生成部２３と、上記音声生成部２３により生成された音声信号に基づいて音声を出力する音声出力部２４とを有している。上記音声生成部２３と音声出力部２４で音声応答部を構成している。
【００１６】
なお、上記リモコン１の送信部１４と室内ユニット２の受信部２１との通信は、光や電波により送受信を行う。
【００１７】
上記音声応答遠隔制御システムでは、例えば図３(A)に示すように、室内ユニット２から音声を出力する。
【００１８】
次に、図４(A),(B)は図１に示すリモコン１の正面図を示しており、図４(A)はスライドカバー５５を閉じた状態を示し、図４(B)はスライドカバー５５を開いた状態を示している。
【００１９】
図４(A)において、５１は液晶表示部、５２は「運転／停止」ボタン、５３は上下ボタン、５４は「切タイマー」ボタン、５５はスライドカバーである。また、図４(B)において、６１は「運転切換」ボタン、６２は「風量」ボタン、６３は「風向」ボタン、６４は「入タイマー」ボタン、６５は「音声応答」ボタン、６６は「すすむ／もどる」ボタン、６７は「取消」ボタン、６８は「時計合せ」ボタンである。
【００２０】
また、図５は図１に示すリモコン１の音声応答設定の処理を説明するフローチャートである。以下、上記リモコン１の動作を図５に従って説明する。
【００２１】
まず、処理がスタートすると、ステップS１で押ボタン入力の有無を判別して、押ボタン入力がないと判別すると、ステップS１を繰り返し、押ボタン入力があると判別すると、ステップS２に進む。
【００２２】
次に、ステップS２で音声応答ボタンが押されたか否かを判別して、音声応答ボタンが押されたと判別すると、ステップS３に進む一方、音声応答ボタンが押されていないと判別すると、ステップS７に進み、その他の処理を行って、ステップＳ１に戻る。
【００２３】
次に、ステップS３で液晶表示部５１(図４に示す)に設定画面表示を行う。
【００２４】
次に、ステップS４に進み、押ボタン入力の有無を判別して、押ボタン入力がないと判別すると、ステップS４を繰り返し、押ボタン入力があると判別すると、ステップS５に進む。
【００２５】
次に、ステップS５で音声応答ボタンが押されたか否かを判別して、音声応答ボタンが押されたと判別すると、音声応答設定が終了したものとしてステップＳ１に戻る一方、音声応答ボタンが押されていないと判別すると、ステップＳ６に進む。
【００２６】
次に、ステップＳ６で入力されたボタンの種類に応じて設定を行い、ステップＳ４に戻り、ステップＳ４〜Ｓ６を繰り返す。
【００２７】
また、図６は図１に示すリモコン１の他の音声応答設定の処理を説明するフローチャートである。以下、上記リモコン１の動作を図６に従って説明する。
【００２８】
まず、処理がスタートすると、ステップＳ１１で押ボタン入力の有無を判別して、押ボタン入力がないと判別すると、ステップＳ１１を繰り返し、押ボタン入力があると判別すると、ステップＳ１２に進む。
【００２９】
次に、ステップＳ１２で音声応答ボタンが押されたか否かを判別して、音声応答ボタンが押されたと判別すると、ステップＳ１３に進む一方、音声応答ボタンが押されていないと判別すると、ステップＳ１６に進み、その他の処理を行った後、ステップＳ１１に戻る。
【００３０】
次に、ステップＳ１３で液晶表示部５１(図４に示す)により設定画面表示を行う。
【００３１】
次に、ステップＳ１４に進み、音声応答ボタンを押しながら押ボタン入力されたか否かを判別して、音声応答ボタンを押しながら押ボタン入力されたと判別すると、ステップＳ１５に進む。一方、ステップＳ１４で音声応答ボタンを押しながら押ボタン入力されていないと判別すると、ステップＳ１７に進む。そして、ステップＳ１７で音声応答ボタンのみが入力された否かを判別して、音声応答ボタンのみが入力されたと判別すると、ステップＳ１１に戻る。
【００３２】
また、図７は図１に示すリモコン１の他のもう１つの音声応答設定の処理を説明するフローチャートである。以下、上記リモコン１の動作を図７に従って説明する。
【００３３】
まず、処理がスタートすると、ステップＳ２１で押ボタン入力の有無を判別して、押ボタン入力がないと判別すると、ステップＳ２１を繰り返し、押ボタン入力があると判別すると、ステップＳ２２に進む。
【００３４】
次に、ステップＳ２２で音声応答ボタンが押されたか否かを判別して、音声応答ボタンが押されたと判別すると、ステップＳ２３に進む一方、音声応答ボタンが押されていないと判別すると、ステップＳ２８に進み、その他の処理を行った後、ステップＳ２１に戻る。
【００３５】
次に、ステップＳ２３で液晶表示部５１(図４に示す)により図８に示す設定画面表示を行う。
【００３６】
次に、ステップＳ２４で上下ボタン５３(図４(A)に示す)により設定項目を選択する。
【００３７】
次に、ステップＳ２５で音声応答ボタンでＯＮ／ＯＦＦ切換えを行う。すなわち、ステップＳ２４で選択された設定項目において、音声応答ボタンを押すことによりＯＮからＯＦＦまたはＯＦＦからＯＮに交互に切り換えるのである。
【００３８】
次に、ステップＳ２６で「終了」が選択されたか否かを判別して、「終了」が選択されたと判別すると、ステップＳ２７に進み、「終了」が選択されていないと判別すると、ステップＳ２４に戻り、ステップＳ２４〜Ｓ２６を繰り返す。
【００３９】
次に、ステップＳ２７で音声応答ボタンが入力されたか否かを判別して、音声応答ボタンが入力されたと判別すると、ステップＳ２１に戻り、音声応答ボタンが入力されていないと判別すると、ステップＳ２４に戻る。
【００４０】
例えば、図８に示すように、音声応答設定画面に設定内容および運転情報の設定項目を表示する。上記設定項目は、暖房運転,冷房運転,ドライ運転等の「運転モード」、「設定温度」、「設定湿度」、「設定風量」、「室温」、「外気温」、「室内湿度」、「室外湿度」、「フラップスイング状態」、「入タイマ設定時刻」、「切タイマ設定時刻」、「空気清浄」および「現在時刻」がある。この音声応答設定画面において、「運転モード」、「設定温度」、「入タイマ設定時刻」、「切タイマ設定時刻」および「現在時刻」がＯＮに設定されている場合、音声応答は、図８の下側に示す例のようになる。
【００４１】
このように、上記音声応答遠隔制御システムでは、暗がりでリモコン１を操作するとき、リモコン１の液晶表示部５１の表示内容が見えない場合や、視覚障害者や視力が低下した人が液晶表示部５１に表示された設定内容を確認することが困難な場合でも、設定内容を室内ユニット２から出力される音声で確認することができる。
【００４２】
また、上記使用者が必要とする設定内容および運転情報のみを室内ユニット２から音声出力させることができ、不要な音声出力をなくして、必要な情報を容易に識別することができる。
【００４３】
（第２実施形態）
また、図２はこの発明の第２実施形態の音声応答遠隔制御装置としてのリモコンを用いた空気調和機の概略ブロック図であり、３は音声応答遠隔制御装置としてのリモコン、４は上記リモコン３により遠隔制御される被遠隔制御装置としての室内ユニットである。
【００４４】
上記リモコン３は、押ボタン(図示せず)により入力される入力部３１と、上記入力部３１からの入力に基づいて動作する音声応答選択部を含むリモコン制御部３２と、上記リモコン制御部３２からの表示信号に基づいて表示する液晶表示部３３と、上記リモコン制御部３２からの制御信号を出力する送信部３４と、上記リモコン制御部３２からの音声出力信号に基づいて音声を生成する音声生成部３５と、上記音声生成部３５により生成された音声信号に基づいて音声を出力する音声出力部３６とを有している。上記リモコン３は、音声生成部３５,音声出力部３６を除き第１実施形態の図４に示すリモコン１と同様の構成をしている。
【００４５】
また、上記室内ユニット４は、上記リモコン３からの制御信号を受信する受信部４１と、上記受信部４１により受信された制御信号に基づいて室内ユニット本体を制御する制御部４２とを有している。
【００４６】
上記空気調和機では、例えば図３(B)に示すように、リモコン３から音声を出力する。
【００４７】
したがって、暗がりでリモコン３を操作するとき、リモコン３の液晶表示部５１(図４(A)に示す)の表示内容が見えない場合や、視覚障害者や視力が低下した人が液晶表示部５１に表示された設定内容を確認することが困難な場合でも、設定内容をリモコン３から出力される音声で確認することができる。
【００４８】
また、使用者が必要とする設定内容および運転情報のみをリモコン３から音声出力させることができ、不要な音声出力をなくして、必要な情報を容易に識別することができる。また、手元のリモコン３から応答音声を出力するので、設定内容等を認識しやすい。
【００４９】
上記実施の形態では、遠隔制御装置を用いた遠隔制御システムとして空気調和機について説明したが、空気調和機に限らず、リモコンにより遠隔制御される被遠隔制御装置を備えた機器にこの発明を適用してもよい。
【００５０】
【発明の効果】
以上より明らかなように、請求項１の発明の音声応答遠隔制御システムは、遠隔制御装置の押ボタン等の入力部により入力すると、上記入力部の入力に応じた遠隔制御信号を遠隔制御装置の送信部より送信して、上記被遠隔制御装置では、遠隔制御装置の送信部から送信された遠隔制御信号を受信部により受信し、その受信された遠隔制御信号によって制御部により本体を制御すると共に、音声応答部は、遠隔制御信号に応じて設定内容を表す音声および運転情報を表す音声を出力するものである。
【００５１】
したがって、請求項１の発明の音声応答遠隔制御システムによれば、暗がりで遠隔制御装置を操作するとき、遠隔制御装置の表示部の表示内容が見えない場合や、視覚障害者や視力が低下した人が表示部に表示された設定内容や運転情報を確認することが困難な場合でも、設定内容および運転情報を室内ユニットから出力される音声で確認することができる。
【００５２】
また、上記遠隔制御装置の音声応答選択部により被遠隔制御装置の音声応答部が音声出力する上記設定内容を選択し、その選択された設定内容を表す音声および運転情報を表す音声を被遠隔制御装置の音声応答部より出力するので、使用者が必要とする設定内容および運転情報のみを音声出力させることができ、不要な音声出力をなくして、必要な情報を容易に識別することができる。
【００５３】
また、請求項２の発明の音声応答遠隔制御装置は、遠隔制御装置の押ボタン等の入力部により入力すると、上記入力部の入力に応じた遠隔制御信号を遠隔制御装置の送信部より送信して、被遠隔制御装置では、上記遠隔制御装置の送信部から送信された遠隔制御信号を受信し、その受信された遠隔制御信号によって被遠隔制御装置本体を制御すると共に、遠隔制御装置の音声応答部は、遠隔制御信号に応じて設定内容を表す音声および運転情報を表す音声を出力するものである。
【００５４】
したがって、請求項２の発明の音声応答遠隔制御装置によれば、暗がりで遠隔制御装置を操作するときに遠隔制御装置の表示部の表示内容が見えない場合や、視覚障害者や視力が低下した人が表示部に表示された設定内容や運転情報を確認することが困難な場合でも、設定内容および運転情報を手元の遠隔制御装置から出力される音声で確認することができる。
【００５５】
また、上記音声応答選択部により音声応答部が音声出力する上記設定内容を選択し、その選択された設定内容を表す音声および運転情報を表す音声を音声応答部より出力するので、使用者が必要とする設定内容および運転情報のみを音声出力させることができ、不要な音声出力をなくして、必要な情報を容易に識別することができる。
【図面の簡単な説明】
【図１】  図１はこの発明の第１実施形態の音声応答遠隔制御システムの概略ブロック図である。
【図２】  図２はこの発明の第２実施形態の音声応答遠隔制御システムの概略ブロック図である。
【図３】  図３(A)は上記第１実施形態の音声応答遠隔制御システムの室内ユニットの模式図であり、図３(B)は上記音声応答遠隔制御システムのリモコンの模式図であり、である。
【図４】  図４(A)は図１の上記音声応答遠隔制御システムのリモコンのスライドカバーを閉じた状態の正面図であり、図４(B)は上記リモコンのスライドカバーを開いた状態の正面図である。
【図５】  図５は上記リモコンの設定動作を説明するフローチャートである。
【図６】  図６は上記リモコンの他の設定動作を説明するフローチャートである。
【図７】  図７は上記リモコンの他のもう１つの設定動作を説明するフローチャートである。
【図８】  図８は上記リモコンの音声応答設定画面および選択された音声出力例を示す図である。
【符号の説明】
１,３…リモコン、２,４…室内ユニット、
１１,３１…入力部、１２,３２…リモコン制御部、
１３,３３…表示部、１４,３４…送信部、
２１,４１…受信部、２２,４２…制御部、
２３,３５…音声生成部、２４,３６…音声出力部。
【図１】
0004581163.tif 000002
【図２】
0004581163.tif 000003
【図３】
0004581163.tif 000004
【図４】
0004581163.tif 000005
【図５】
0004581163.tif 000006
【図６】
0004581163.tif 000007
【図７】
0004581163.tif 000008
【図８】
0004581163.tif 000009